(57)【要約】【課題】  光の利用効率を上げながらも、当該素子を大きくする必要のない光源装置を提供し、また、これを用いたプロジェクタを提供すること。【解決手段】  偏光装置をレンズアレイの前段に置くことにより、従来存在した偏光変換素子面に入りきらない光が生じるのを回避する。また、偏光装置３内の反射ミラー４による反射を一回だけとすることで、光量のロスを少なくし、光の利用効率を上げる。また、この際、光の利用効率を上げるために偏光装置３を大型化する必要がないようにする。【選択図】図１
2006064813.tif 000002
【特許請求の範囲】
【請求項１】
光源光を発生する光源と、
前記光源光を反射し、光路方向を一様に揃える反射部材と、
前記反射部材の射出側に配置され、前記光源光の一部を反射し前記反射部材側に戻る戻り光を形成する反射領域と前記光源光の残りを透過する透過領域とを入射側に有し、前記透過領域を透過した光源光のうち第１成分を前記透過領域に対応する第１射出領域から射出させ、前記光源光のうち前記第１成分を除いた第２成分を前記反射領域に対応するとともに前記第１射出領域を補完する第２射出領域から射出させ、さらに前記第１及び第２射出領域から射出させる光の偏光状態を偏光変換光学系によって揃えて照明光を形成する偏光装置と、
を備え、
前記反射部材は、前記偏光装置の前記反射領域からの戻り光を前記透過領域に導くことを特徴とする光源装置。
【請求項２】
前記反射部材は、凹面反射鏡を含み、前記反射領域と前記透過領域とは、前記凹面反射鏡の光軸を基準とし、前記偏光装置の入射面を複数に分割することによって分配したものであることを特徴とする請求項１記載の光源装置。
【請求項３】
前記反射領域と前記透過領域とは、前記光軸を挟んでそれぞれ対称に形成されていることを特徴とする請求項２記載の光源装置。
【請求項４】
前記反射領域には、ミラーが形成されていることを特徴とする請求項１から請求項３のいずれか一項記載の光源装置。
【請求項５】
前記偏光装置の入射面は、２分割乃至４分割されていることを特徴とする請求項１から請求項４のいずれか一項記載の光源装置。
【請求項６】
前記偏光変換光学系は、前記透過領域後段に設置され、偏光の方向に応じて反射及び透過を選択的に行うことによって前記第１及び第２成分の分離を行う偏光分離部と、前記偏光分離部によって分離された前記第１及び第２成分のうち一方の偏光方向を他方の偏光方向に揃える偏光方向回転素子とを備えることを特徴とする請求項１から請求項５のいずれか一項記載の光源装置。
【請求項７】
前記偏光変換光学系は、前記偏光分離部に隣接し、前記偏光分離部で分離された前記第１及び第２成分のうち一方の光路方向を他方の光路方向に平行に変換する光路変換部材をさらに備えることを特徴とする請求項６記載の光源装置。
【請求項８】
前記偏光装置は、複数のプリズムを組み合わせることにより形成され、前記複数のプリズムは、ドーブプリズムを含むことを特徴とする請求項１から請求７のいずれか一項記載の光源装置。
【請求項９】
前記反射部材は、パラボラリフレクタであり、前記光源は、前記パラボラリフレクタの焦点に位置する点状光源であることを特徴とする請求項１から請求項８のいずれか一項記載の光源装置。
【請求項１０】
請求項１から請求項９のいずれか一項記載の光源装置と、
前記光源装置によって形成される照明光によって照明される被照明対象である光変調装置と、
前記光変調装置を経た像光を投射する投影光学系と、
を備えるプロジェクタ。
【請求項１１】
請求項１から請求項９のいずれか一項記載の光源装置と、
前記光源装置によって形成される照明光を所定波長ごとに色光分割し、各色光を形成する光分割光学系と、
前記光分割光学系からの前記各色光によってそれぞれ照明される被照明対象であり、各色の像光をそれぞれ形成する各色の光変調装置と、
前記各色の光変調装置からの各色の像光を合成して合成光を形成する光合成光学系と、
前記合成光を投射光として投射する投影光学系と、
を備えるプロジェクタ。
【発明の詳細な説明】
【技術分野】
【０００１】
本発明は、偏光装置を有する光源装置及びこれを用いたプロジェクタに関する。
【背景技術】
【０００２】
例えば、液晶ライトバルブを組み込んだタイプのプロジェクタ等において、画像を形成するためのもととなる光源光若しくは照明光の偏光方向を揃えることは必須課題である。このために、各種偏光変換素子等が開発されている。かかる偏光変換素子は、光束の均一化等を行う集光レンズアレイの直後に置かれるのが一般的である（特許文献１参照）。また、偏光変換素子を光源の直後に設置することもある（例えば、特許文献２参照）。
【特許文献１】特開平９−３１１２９７号公報
【特許文献２】特開平４−２３０７０５号公報
【発明の開示】
【発明が解決しようとする課題】
【０００３】
しかしながら、例えば、特許文献１の場合のように、偏光変換素子である偏光分離ユニットアレイが集光レンズアレイの後段に設置されていると、集光レンズアレイによって形成される２次光源像は光軸近傍で大きくなり、一方、光軸から離れると小さくなる。この場合、当該偏光変換素子の複数の入射面のうち光軸近傍では、これに入りきらない光が生じ、光源光の利用効率が下がるという問題がある。これらを解決するためには、偏光変換素子の配置場所を変えることが考えられる。例えば、特許文献２において、偏光変換素子を光源の直後に配置している。しかしこの場合、光源装置全体が大型化してしまう。
【０００４】
そこで、本発明は、光源光の利用効率を上げながらも、偏光変換素子を大きくする必要のない光源装置を提供することを目的とする。また、本発明は、これを用いたプロジェクタを提供することを目的とする。
【課題を解決するための手段】
【０００５】
上記課題を解決するために、本発明に係る光源装置は、光源光を発生する光源と、光源光を反射し、光路方向を一様に揃える反射部材と、反射部材の射出側に配置され、光源光の一部を反射し反射部材側に戻る戻り光を形成する反射領域と光源光の残りを透過する透過領域とを入射側に有し、透過領域を透過した光源光のうち第１成分を透過領域に対応する第１射出領域から射出させ、光源光のうち第１成分を除いた第２成分を反射領域に対応するとともに第１射出領域を補完する第２射出領域から射出させ、さらに第１及び第２射出領域から射出させる光の偏光状態を偏光変換光学系によって揃えて照明光を形成する偏光装置とを備え、反射部材が、偏光装置の反射領域からの戻り光を透過領域に導くことを特徴とする。
【０００６】
上記光源装置では、反射部材によって光路方向が揃えられた光源光の偏光装置への入射側において、光源光の一部を反射する領域と残りを透過する領域とを設ける。これにより、入射光が活用されなくなる領域を有する偏光変換光学系を、反射部材の射出側の開口に対応させて偏光装置内に組み込むことができるので、光源装置の小型化が図れる。また、反射領域によって形成された戻り光を反射部材が透過領域に導くので、戻り光も照明光として利用可能であり、光の利用効率が下がらない。さらに、透過領域を透過した光源光のうち、第１成分が透過領域に対応する第１射出領域から射出され、第２成分が反射領域に対応するとともに第１射出領域を補完する第２射出領域から射出されるので、光源光は、無駄無く照明光形成に用いられるとともに、反射部材の射出側の開口に対応して領域が偏ることなく射出される。
【０００７】
また、本発明の具体的な態様として、反射部材が、凹面反射鏡を含み、反射領域と透過領域とが、凹面反射鏡の光軸を基準とし、偏光装置の入射面を複数に分割することによって分配したものである。この場合、凹面反射鏡の光軸を基準とすることにより、反射領域と透過領域とにそれぞれ入射する光源光を区別するとともに、反射領域からの戻り光を反射部材によって透過領域に確実に導くことが可能となる。
【０００８】
また、本発明の具体的な態様として、反射領域と透過領域とが、前記光軸を挟んでそれぞれ対称に形成されている。この場合、ある反射領域と当該反射領域からの戻り光が導かれる透過領域とが１対１の対応関係を形成する。
【０００９】
また、本発明の具体的な態様として、反射領域には、ミラーが形成されている。この場合、反射領域に入射する光源光は、確実に反射され、戻り光が形成される。
【００１０】
また、本発明の具体的な態様として、偏光装置の入射面が、２分割乃至４分割されている。この場合、光源光の光路は、２乃至４種類のパターンに分かれ、そのいずれもが照明光として形成される。
【００１１】
また、本発明の具体的な態様として、偏光変換光学系が、透過領域後段に設置され、偏光の方向に応じて反射及び透過を選択的に行うことによって第１及び第２成分の分離を行う偏光分離部と、偏光分離部によって分離された第１及び第２成分のうち一方の偏光方向を他方の偏光方向に揃える偏光方向回転素子とを備える。この場合、第１成分の偏光方向と第２成分の偏光方向とが揃うので、全体として偏光方向の揃った照明光が形成される。
【００１２】
また、本発明の具体的な態様として、偏光変換光学系が、上記偏光分離部に隣接し、偏光分離部で分離された第１及び第２成分のうち一方の光路方向を他方の光路方向に平行に変換する光路変換部材をさらに備える。この場合、第１成分の光路方向と第２成分の光路方向とが揃った照明光が形成される。
【００１３】
また、本発明の具体的な態様として、偏光装置が、複数のプリズムを組み合わせることにより形成され、これら複数のプリズムが、ドーブプリズムを含む。この場合、第１成分と第２成分とで光路長を一致させることができ、また、第１成分の光路方向と第２成分の光路方向とが揃った照明光が形成される。
【００１４】
また、本発明の具体的な態様として、反射部材が、パラボラリフレクタであり、光源が、パラボラリフレクタの焦点に位置する点状光源である。この場合、反射部材であるパラボラリフレクタで反射された光源光の光路方向は、パラボラリフレクタの光軸に対して平行化される。
【００１５】
本発明に係る第１のプロジェクタは、上記いずれかの光源装置と、光源装置によって形成される照明光によって照明される被照明対象である光変調装置と、光変調装置を経た像光を投射する投影光学系とを備える。
【００１６】
上記第１のプロジェクタは、上述のような本発明の光源装置を用いていることにより、プロジェクタ全体としても大型化することなく光利用効率の高いものとなり、明るく高画質の画像を投射することが可能となる。また特に、光源装置からの照明光はすでに偏光方向が揃えられているので、液晶ライトバルブ等を組み込んだプロジェクタにとって好適である。
【００１７】
本発明に係る第２のプロジェクタは、上記いずれかの光源装置と、光源装置によって形成される照明光を所定波長ごとに色光分割し、各色光を形成する光分割光学系と、光分割光学系からの前記各色光によってそれぞれ照明される被照明対象であり、各色の像光をそれぞれ形成する各色の光変調装置と、各色の光変調装置からの各色の像光を合成して合成光を形成する光合成光学系と、合成光を投射光として投射する投影光学系とを備える。
【００１８】
上記第２のプロジェクタは、上述のような本発明の光源装置を用いていることにより、プロジェクタ全体としても大型化することなく光利用効率の高いものとなり、明るく高画質のカラー画像を投射することが可能となる。また特に、光源装置からの照明光はすでに偏光方向が揃えられているので、液晶ライトバルブ等を組み込んだプロジェクタにとって好適である。
【発明を実施するための最良の形態】
【００１９】
〔第１実施形態〕
図１は、第１実施形態に係る光源装置を説明するための平面図である。本実施形態における光源装置１０は、光源光ＳＬを発生する光源１と、光源光ＳＬを反射して光路方向を一様に揃える反射部材であるパラボラリフレクタ２と、照明光を形成する偏光装置３とを備える。
【００２０】
光源１は、例えば、高圧水銀ランプ等であるが、以下では近似的に白色光を発生する点状光源であるものとして取り扱う。図１のように、平面で見た場合、パラボラリフレクタ２の断面図は放物線を描き、光源１の発光中心は、当該放物線の焦点Ｐに位置する。尚、本実施形態において、光源１は、焦点Ｐより主に側方及び後方に向って放射状に光源光ＳＬを発生するものとする。
【００２１】
パラボラリフレクタ２は、凹面反射鏡の一つであり、放物線を軸回転して得られる放物面上にミラーが形成されている。当該放物面の焦点Ｐから放射状に発生する光源光ＳＬの光路方向は、パラボラリフレクタ２での反射によって平行化されることで揃えられる。方向の揃った光源光ＳＬは、パラボラリフレクタ２の開口ＥＰより略開口ＥＰの幅を保って射出される。
【００２２】
偏光装置３は、パラボラリフレクタ２に対し、光源光ＳＬの光路上に対向して配置されており、入射する光源光ＳＬの偏光方向を揃えつつ、照明光を形成する。偏光装置３は、光源１に対向する入射面に、反射ミラー４と、変換窓５とを備える。また、偏光装置３は、偏光変換光学系として、偏光分離膜６と、波長板７と、反射膜８と、射出窓９とを備える。
【００２３】
偏光装置３のうち、偏光変換光学系は、３つのプリズムを貼り合わせることにより形成されている。３つのプリズムは、２つの直角三角形プリズムと平行四辺形プリズムとであり、直角三角形プリズムの斜面を平行四辺形の対面にそれぞれ貼り合わせることにより全体として矩形を形成する。この際、当該斜面のそれぞれに誘電体多層膜等からなる偏光分離膜６と反射膜８とが施され、さらに、パラボラリフレクタ２に対向しない側の三角プリズムの面に波長板７が貼付されることることで偏光変換光学系が形成される。また、さらに、パラボラリフレクタ２に対向する側の三角プリズムに反射ミラー４が貼付されることにより偏光装置３が形成される。
【００２４】
反射ミラー４は、偏光装置３に入射する光源光ＳＬの反射領域を形成し、入射した光源光ＳＬをパラボラリフレクタ２側に反射する。これにより戻り光が形成される。変換窓５は、偏光装置３に入射する光源光ＳＬの透過領域を形成し、偏光変換される光源光ＳＬの偏光装置３内への入り口となる。尚、偏光装置３における光源光ＳＬの入射面は、反射領域を画定する反射ミラー４と透過領域を画定する変換窓５とからなり、パラボラリフレクタ２の開口ＥＰからの光源光ＳＬをもれなく入射させるように、偏光装置３全体としての入射幅が開口ＥＰの幅に揃えられている。偏光分離膜６は、変換窓５から入射した光源光ＳＬの偏光を偏光方向ごとに透過又は反射により分離する。特に、本実施形態においては、偏光分離膜６は、Ｐ偏光を透過し、Ｓ偏光を反射するものとする。波長板７は、偏光分離膜６を透過したＰ偏光の偏光方向を変換する１／２波長板その他の偏光方向回転素子である。これにより、波長板７は、Ｐ偏光をＳ偏光に変換し、このＳ偏光は、偏光装置３から射出される。反射膜８は、光路変換部材であり、偏光分離膜６で反射されたＳ偏光の光路方向を、透過したＰ偏光の光路方向に揃え、射出窓９は、反射膜８を経たＳ偏光を偏光装置３から射出する。
【００２５】
上述のように、パラボラリフレクタ２は、放物面であることから、この放物面の中心軸を光軸ＬＡとすると、焦点Ｐは、光軸ＬＡ上に存在することになる。また、偏光装置３の入射面は、光軸ＬＡに対して垂直であり、入射面のうち、光軸ＬＡを中心として図中右半分が反射領域をなす反射ミラー４であり、左半分が透過領域をなす変換窓５である。尚、本実施形態においては、図１における光軸ＬＡ上向きを方向αとし、これを前方向とする。方向αは光源装置１０から最終的に射出される照明光ＥＬの光路方向を示している。
【００２６】
以下、光源光ＳＬの光路について説明することにより、本実施形態における照明光ＥＬの形成方法を述べる。図中、焦点Ｐから発生する光源光ＳＬのうち、光路が方向αに対して右前方向のものを光源光ＳＬ１とし、右方向のものを光源光ＳＬ２とする。焦点Ｐから発した光源光ＳＬ１は、パラボラリフレクタ２によって反射され、その光路方向が、方向αに一致する。光源光ＳＬ１の光路は、光軸ＬＡよりも右側に位置するので、偏光装置３において、反射ミラー４に垂直に入射する。このため、光源光ＳＬ１は、反射ミラー４によって反射され、戻り光ＳＬ１′となるが、垂直入射しているため、戻り光ＳＬ１′の光路方向は、方向αの向きと反対になり、同じ光路を反対側に辿ることになる。この戻り光ＳＬ１′は、パラボラリフレクタ２により反射され光路方向が方向αに対して左後方向となり、焦点Ｐを通過して、さらに、パラボラリフレクタ２により反射される。焦点Ｐを通過していることから、反射後、戻り光ＳＬ１′の光路方向は、再び方向αに一致する。ここで、戻り光ＳＬ１′の光路は、光軸ＬＡよりも左側に位置するので、偏光装置３において、変換窓５に垂直に入射する。
【００２７】
変換窓５に入射後、戻り光ＳＬ１′は、偏光分離膜６に入射する。この偏光分離膜６では、戻り光ＳＬ１′の偏光成分のうち、第１成分としてＰ偏光Ｐ１が透過し、第２成分としてＳ偏光Ｓ２が反射される。透過したＰ偏光Ｐ１は、波長板７によって半波長分の位相差が生じ、Ｓ偏光Ｓ１に変換される。尚、Ｓ偏光Ｓ１に変換されたＰ偏光Ｐ１は、この間ずっと直進であるため、光路方向は方向αに等しい。また、ここで、波長板７は、透過領域である変換窓５に対応した第１射出領域として、Ｓ偏光Ｓ１を射出している。一方、偏光分離膜６によって反射されたＳ偏光Ｓ２は、反射膜８によって光路方向が折り曲げられ、射出窓９より射出される。ここで、反射膜８は、偏光分離膜６に対して平行に設計されていることにより、Ｓ偏光Ｓ２は、反射膜８によって反射された後、光路方向が方向αに一致する。また、ここで、射出窓９は、反射領域である反射ミラー４に対応した第２射出領域として、Ｓ偏光Ｓ２を射出している。これにより、偏光装置３を透過した後、戻り光ＳＬ１′は、全てＳ偏光となり、光路方向は方向αに等しく、偏光装置３の全射出面に対応する第１及び第２射出領域から照明光ＥＬとして射出される。
【００２８】
同様に、方向αに対して光路が右方向である光源光ＳＬ２も反射ミラー４で戻り光ＳＬ２′となった後、変換窓５に入射し、偏光分離膜６によって偏光成分が分離・変換され、全ての偏光成分がＳ偏光となる。尚、ここで、パラボラリフレクタ２から光源光が右方に射出される際、光軸ＬＡに対して、光源光ＳＬ１が周辺側、光源光ＳＬ２が中心側から射出されている。これに対し、戻り光として再び射出されるときには、逆に、光軸ＬＡに対して、戻り光ＳＬ２′が周辺側、戻り光ＳＬ１′が中心側から射出されることとなる。尚、方向αに対して光路が右後方向である光源光は、光源光としてはさらに中心側であるが、戻り光としてはさらに周辺側となる。尚、本実施形態及び以下の実施形態において、焦点Ｐから方向αに対して前方側へ射出される光源光を周辺側又は周辺光とし、後方側のものを中央側又は中央光と呼んでいる。より厳密には、パラボラリフレクタ２の放物線の形状によっては、焦点Ｐから前方側に射出されるものであっても比較的中央側であるといった場合も生じうる。しかし、より前方側であればより周辺側へ、より後方側であればより中央側へ光路を取ることについては変わりがないため、本明細書内においては、説明の便宜上このように扱うものとする。
【００２９】
焦点Ｐから発生する光源光ＳＬのうち、光路が方向αに対して左方向であるものは、パラボラリフレクタ２で反射後、光軸ＬＡよりも左側の位置から射出されるので、偏光装置３への入射に際して、変換窓５に垂直に入射する。従って、反射ミラー４によって戻り光が形成されることなく、光源光ＳＬは、偏光装置３によって偏光変換が行われ、偏光装置３の全射出面から射出される照明光ＥＬが形成される。
【００３０】
以上により、光源光ＳＬは、Ｓ偏光に揃った照明光ＥＬとして利用される。この際、反射ミラー４による反射は光量の半分に対して一回行われるだけであるので、これによる光量のロスは少なく、光の利用効率が良い。また、この際、光の利用効率を上げるために偏光装置３を大型化する必要がない。
【００３１】
さらに、光源装置１０からの光源光は偏光装置３により偏光方向を揃えられているので、例えば、プロジェクタ等の利用に好適である。
【００３２】
〔第２実施形態〕
図２は、本実施形態に係る光源装置を説明するための平面図である。本実施形態における光源装置２０は、光源光ＳＬを発生する光源１と、光源光ＳＬを反射するパラボラリフレクタ２と、照明光を形成する偏光装置２３とを備える。尚、光源１と、パラボラリフレクタ２については、第１実施形態と同様であるから説明を割愛する。
【００３３】
偏光装置２３は、第１実施形態同様、パラボラリフレクタ２に対し、光源光ＳＬの光路上に対向して配置されており、入射する光源光ＳＬの偏光方向を揃えつつ、照明光を形成する。偏光装置２３は、光源１に対向する入射面に、反射ミラー２４と、変換窓２５とを備えるとともに、偏光変換光学系として、偏光分離膜２６と、波長板２７とを備える。
【００３４】
反射ミラー２４は、偏光装置２３に入射する光源光ＳＬの反射領域を形成し、入射した光源光ＳＬをパラボラリフレクタ２側に反射する。これにより戻り光が形成される。変換窓２５は、偏光装置２３に入射する光源光ＳＬの透過領域を形成し、偏光変換される光源光ＳＬの偏光装置２３内への入り口となる。尚、偏光装置２３における光源光ＳＬの入射面は、反射ミラー２４と変換窓２５とからなり、この入射面の幅は、第１実施形態同様、開口ＥＰの幅に略等しいものとする。偏光分離膜２６は、変換窓２５から入射した光源光ＳＬの偏光を偏光方向ごとに透過又は反射により分離する。特に、本実施形態においては、Ｐ偏光を透過し、Ｓ偏光を反射するものとする。波長板２７は、偏光分離膜２６を透過したＰ偏光をＳ偏光に変換し、偏光装置２３から射出する。
【００３５】
本実施形態における偏光装置２３は、２つのプリズムを貼り合わせることにより形成されている。２つのプリズムのうち、一方は、所謂ドーブプリズムと呼ばれる底面が矩形から２箇所を切り出した等脚台形の形状を有する柱状のドーブプリズム２１であり、もう一方は、ドーブプリズム２１と同一の矩形において切り出しを１箇所のみとすることにより底面を五角形とした柱状の擬ドーブプリズム２２である。ドーブプリズム２１と擬ドーブプリズム２２のそれぞれの最長辺を貼り合わせることによってプリズムが形成されるが、この際、当該貼付箇所には偏光分離膜２６が施される。さらに、擬ドーブプリズム２２の面のうち、切り出されなかったことにより矩形のまま残っている面に反射ミラー２４が貼付され、切り出された面に波長板２７が貼付される。以上により、偏光装置２３は形成される。また、この際、ドーブプリズム２１の切り出された面のうち、反射ミラー２４側の端面が変換窓２５となる。また、波長板２７が貼付された面とドーブプリズム２１の切り出された面の他端面とはそれぞれ光源光の射出面２８、２９となる。
【００３６】
パラボラリフレクタ２の中心軸である光軸ＬＡ上に偏光分離膜２６を置き、反射ミラー２４をパラボラリフレクタ２側に対向させることによって、偏光装置２３は、光源光ＳＬの偏光方向の調節及び照明光の射出方向の調節が可能となる。尚、図１同様光軸ＬＡ上向きを方向αとし、これを前方向とする。
【００３７】
以下、光源光ＳＬのうち、焦点Ｐから方向αに対して右方へ射出する光源光ＳＬ３の光路について説明することにより、本実施形態における照明光ＥＬの形成方法を述べる。焦点Ｐより発した光源光ＳＬ３は、パラボラリフレクタ２によって反射され、反射ミラー４に垂直に入射し、戻り光ＳＬ３′となる。戻り光ＳＬ３′の光路方向は、第１実施形態同様、パラボラリフレクタ２での反射により、再び方向αに一致した状態で射出される。ここでの戻り光ＳＬ３′の光路は、光軸ＬＡよりも左側に位置するので、偏光装置２３において、変換窓２５に入射する。この際、変換窓２５の入射面が光軸ＬＡに対して斜面となっているため、戻り光ＳＬ３′は、屈折して入射する。これにより戻り光ＳＬ３′の光路方向が変えられる。その後、戻り光ＳＬ３′は、偏光分離膜２６に入射する。偏光分離膜２６により、偏光成分のうち、第１成分としてＰ偏光Ｐ１が透過し、第２成分としてＳ偏光Ｓ２が反射される。透過したＰ偏光Ｐ１は、波長板２７によって半波長分の位相差が生じ、Ｓ偏光Ｓ１に変換される。ここで、射出面２８により再び屈折されることにより当該偏光の射出後の光路方向は方向αに等しくなっている。また、この際、波長板２７は、反射領域である反射ミラー２４に対応した第２射出領域として、Ｓ偏光Ｓ１を射出している。一方、偏光分離膜２６によって反射されたＳ偏光Ｓ２は、射出面２９により再び屈折し、こちらも射出後の光路方向が方向αに等しくなっている。また、この際、射出面２９は、透過領域である変換窓２５に対応した第１射出領域として、Ｓ偏光Ｓ２を射出している。これにより、偏光装置２３透過した後、戻り光ＳＬ３′は全てＳ偏光となり、光路方向は方向αに等しく、偏光装置２３の全射出面に対応する第１及び第２射出領域から照明光ＥＬとして射出される。
【００３８】
焦点Ｐから発生する光源光ＳＬのうち、光路が方向αに対して左方向であるものは、パラボラリフレクタ２で反射後、光軸ＬＡよりも左側の位置から射出されるので、偏光装置２３への入射に際して、変換窓２５に入射する。従って、反射ミラー２４によって戻り光が形成されることなく、光源光ＳＬは偏光装置２３によって偏光変換が行われる。
【００３９】
以上により、光源１からの光源光ＳＬは、Ｓ偏光に揃った照明光ＥＬとして利用される。この際、反射ミラー２４による反射は光量の半分に対して一回行われるだけであるので、これによる光量のロスは少なく、光の利用効率が良い。また、光の利用効率を上げるために偏光装置２３を大型化する必要がない。
【００４０】
さらに、光源装置２０からの光源光は偏光装置３により偏光方向を揃えられているので、例えば、プロジェクタ等の利用に好適である。尚、本実施形態の場合、偏光装置２３での偏光の分離によって光路差が生じることがない。また、分離後の偏光の光路方向を調整する反射膜等を必要としない。
【００４１】
尚、本実施形態での偏光装置２３において、擬ドーブプリズム２２の替わりにドーブプリズムを用いてもよい。この場合、反射ミラー２４を自立型のものとし、このような自立型ミラーが光軸ＬＡに対して垂直に固定できるための別の手段を用意する必要がある。
【００４２】
〔第３実施形態〕
上述した第１及び第２実施形態において、光源光の入射領域での分割を、反射領域と透過領域とを半分ずつの２分割としていたが、入射領域については、光軸を基準として反射領域と透過領域とに４分割若しくは３分割することができる。本実施形態では、特に、光軸ＬＡを中心に４分割された領域のうち、外側２領域を反射領域とすることにより、周辺光を反射して中央光として射出する場合について述べる。
【００４３】
図３（ａ）は、本実施形態に係る光源装置のうち、第１実施形態で用いた偏光ビームスプリッタを４分割用に応用した場合について説明するための平面図である。本実施形態における光源装置３０ａは、光源光を発生する光源１と、光源光を反射するパラボラリフレクタ２と、偏光装置３３とを備える。尚、光源１と、パラボラリフレクタ２については、既述の実施形態と同様のものである。
【００４４】
偏光装置３３は、第１及び第２実施形態同様、パラボラリフレクタ２に対し、光源光ＳＬの光路上に対向して配置されており、入射する光源光ＳＬの偏光方向を揃えつつ、照明光を形成する。偏光装置３３は、光源１に対向する入射面に、反射ミラー３４ｓ、３４ｔと、変換窓３５ｓ、３５ｔとを備えるとともに、偏光変換光学系として、偏光分離膜３６ｓ、３６ｔと、波長板３７ｓ、３７ｔと、反射膜３８ｓ、３８ｔと、射出窓３９ｓ、３９ｔとを備える。いずれも、第１実施形態おける同名のものと同じ役割を有するので説明を割愛する。
【００４５】
本実施形態における偏光装置３３は、第１実施形態における偏光装置３とこれを左右反転させたものとを貼り合わせることによって形成される。この際、反射ミラー３４ｓと反射ミラー３４ｔとが外側になるようにする。このように形成された偏光装置３３は、当該貼付箇所を光軸ＬＡ上に設置した状態でパラボラリフレクタ２に対して固定される。
【００４６】
以下、光源光ＳＬのうち、周辺光として焦点Ｐから方向αに対して右前方へ射出する光源光ＳＬ４の光路と、左前方へ射出する光源光ＳＬ５の光路とについて説明することにより、本実施形態における照明光ＥＬの形成方法を述べる。焦点Ｐから方向αに対し右前方へ発した光源光ＳＬ４は、パラボラリフレクタ２によって反射され光源光ＳＬのうち右方周辺光として射出される。反射ミラー３４ｓに垂直に入射した光源光ＳＬ４は、戻り光ＳＬ４′として反射される。戻り光ＳＬ４′の光路方向は、パラボラリフレクタ２での反射により２度折り曲げられ、再び方向αに一致した状態で射出される。この際の戻り光ＳＬ４′は、光源光ＳＬのうち左方中央光として射出され、変換窓３５ｓに垂直に入射する。
【００４７】
変換窓３５に入射した戻り光ＳＬ４′は、偏光分離膜３６ｓに入射し、戻り光ＳＬ４′の偏光成分のうち、Ｐ偏光Ｐ１が透過し、Ｓ偏光Ｓ２が反射される。透過したＰ偏光Ｐ１は、波長板３７ｓによって半波長分の位相差が生じ、Ｓ偏光Ｓ１に変換され、方向αに沿って射出される。この際、波長板３７ｓは、透過領域である変換窓３５ｓに対応した第１射出領域の一部として、Ｓ偏光Ｓ１を射出している。一方、偏光分離膜３６ｓによって反射されたＳ偏光Ｓ２は、反射膜３８ｓによって光路方向が変換され、射出窓３９ｓより方向αに沿って射出される。この際、射出窓３９ｓは、反射領域である３４ｔに対応した第２射出領域の一部として、Ｓ偏光Ｓ２を射出している。これにより、偏光装置３３を透過した後、戻り光ＳＬ４′は、全てＳ偏光となり、光路方向が方向αに等しく、偏光装置３３の片側の射出面から照明光ＥＬとして射出される。
【００４８】
同様に、焦点Ｐより、方向αに対し左前方へ発した光源光ＳＬ５は、パラボラリフレクタ２によって反射され光源光ＳＬのうち左方周辺光として射出され、反射ミラー３４ｔにより戻り光ＳＬ５′として反射され、パラボラリフレクタ２を経て、右方中央光として射出され、変換窓３５ｔに垂直に入射する。変換窓３５ｔに入射した戻り光ＳＬ５′は、偏光装置３３内の偏光分離膜３６ｔ、波長板３７ｔ及び反射膜３８ｔにより光路方向が方向αに等しいＳ偏光となる。尚、この際、波長板３７ｔは、透過領域である変換窓３５ｔに対応した第１射出領域の一部として、Ｓ偏光Ｓ１を射出しており、射出窓３９ｔは、反射領域である３４ｔに対応した第２射出領域の一部として、Ｓ偏光Ｓ２を射出している。これにより、偏光装置３３を透過した後、戻り光ＳＬ５′は、全てＳ偏光となり、光路方向が方向αに等しく、偏光装置３３の片側の射出面から照明光ＥＬとして射出される。
【００４９】
また、焦点Ｐから発生する光源光ＳＬのうち、光路が方向αに対して左後方向又は右後方向であるものは、パラボラリフレクタ２で反射後、左方中央光又は右方中央光として射出されるので、偏光装置３３において、変換窓３５ｓ又は変換窓３５ｔに入射する。従って、反射ミラー３４ｓ、３４ｔによって戻り光が形成されることなく、光源光ＳＬは、偏光装置３３によって偏光変換され、偏光装置３３の全射出面から射出される。
【００５０】
以上により、光源光ＳＬは、Ｓ偏光に揃った照明光ＥＬとして利用される。この際、反射ミラー３４ｓ又は反射ミラー３４ｔによる反射は周辺光に対して一回行われるだけであるので、これによる光量のロスは少なく、光の利用効率が良い。また、光の利用効率を上げるために偏光装置３３を大型化する必要がない。
【００５１】
また、この場合、偏光装置３３は、第１実施形態の偏光装置３よりも薄くすることが可能である。光源及びパラボラリフレクタが第１実施形態と同一の場合、偏光装置の厚さは半分となる。
【００５２】
図３（ｂ）は、本実施形態に係る光源装置のうち、第２実施形態で用いた偏光ビームスプリッタを４分割用に応用した場合について説明するための平面図である。本実施形態における光源装置３０ｂは、光源光を発生する光源１と、光源光を反射する反射部材であるパラボラリフレクタ２と、偏光装置３２３とを備える。尚、光源１と、パラボラリフレクタ２については、既述の実施形態と同様である。
【００５３】
偏光装置３２３は、第１及び第２実施形態同様、パラボラリフレクタ２に対し、光源光ＳＬの光路上に対向して配置されており、入射する光源光の偏光方向を揃え、照明光を形成する。偏光装置３２３は、光源１に対抗する入射面に、反射ミラー３２４ｓ、３２４ｔと、変換窓３２５ｓ、３２５ｔとを備えるとともに、偏光変換光学系として、偏光分離膜３２６ｓ、３２６ｔと、波長板３２７ｓ、３２７ｔとを備える。いずれも、第２実施形態における同名のものと同じ役割を有するので説明を割愛する。
【００５４】
本実施形態における偏光装置３２３は、第２実施形態における偏光装置２３とこれを左右反転させたものとをドーブプリズム２１の最短辺（上底側）で貼り合わせ、反射ミラー３２４ｓ、３２４ｔを外側にすることによって形成される。偏光装置３３は、当該貼付箇所を光軸ＬＡ上に設置した状態でパラボラリフレクタ２に対して固定される。
【００５５】
光源装置３０ａ同様、焦点Ｐから発生する光源光ＳＬのうち、焦点Ｐから方向αに対して右前方へ射出する光源光ＳＬ４の光路と、左前方へ射出する光源光ＳＬ５の光路とについて辿ることが可能であり、それぞれ反射ミラー３２４ｓ、３２４ｔで反射後、戻り光ＳＬ４′、ＳＬ５′として変換窓３２５ｓ、３２５ｔに屈折して入射する。変換窓３２５ｓ、３２５ｔに入射した戻り光ＳＬ４′、ＳＬ５′は、偏光分離膜３２６ｓ、３２６ｔ及び波長板３２７ｓ、３２７ｔにより第２実施形態と同様にして、戻り光ＳＬ４′、ＳＬ５′は全てＳ偏光となり、光路方向は方向αに等しく、偏光装置３２３の全射出面に対応する第１及び第２射出領域から照明光ＥＬとして射出される。
【００５６】
また、焦点Ｐから発生する光源光ＳＬのうち、光路が方向αに対して左後方向又は右後方向であるものは、パラボラリフレクタ２で反射後、左方中央光又は右方中央光として射出されるので、偏光装置３２３において、変換窓３２５ｓ又は変換窓３２５ｔに入射する。従って、反射ミラー３２４ｓ、３２４ｔによって戻り光が形成されることなく、光源光ＳＬは、偏光装置３２３によって偏光変換され、偏光装置３２３の全射出面に対応する第１及び第２射出領域から照明光ＥＬとして射出される。
【００５７】
以上により、光源光ＳＬは、Ｓ偏光に揃った照明光ＥＬとして利用される。この際、反射ミラー３２４ｓ又は反射ミラー３２４ｔによる反射は周辺光に対して一回行われるだけであるので、これによる光量のロスは少なく、光の利用効率が良い。また、光の利用効率を上げるために偏光装置３２３を大型化する必要がない。
【００５８】
また、この場合、偏光装置３２３は、第２実施形態の偏光装置２３よりも薄くすることが可能である。光源及びパラボラリフレクタが第２実施形態と同一の場合、偏光装置の厚さは半分となる。
【００５９】
〔第４実施形態〕
第３実施形態においては、光源光の入射領域に関し、光軸ＬＡを中心に４分割された領域のうち、外側２領域を反射領域としていたが、本実施形態においては、内側２領域を反射領域とする。この場合、中央光を反射して周辺光として射出することになる。
【００６０】
図４（ａ）は、本実施形態に係る光源装置のうち、第１実施形態で用いた偏光ビームスプリッタを４分割用に応用した場合について説明するための平面図である。本実施形態における光源装置４０ａは、光源光を発生する光源１と、光源光を反射するパラボラリフレクタ２と、偏光装置４３とを備える。尚、光源１と、パラボラリフレクタ２については、既述の実施形態と同様のものである。
【００６１】
偏光装置４３は、第１から第３実施形態同様、パラボラリフレクタ２に対し、光源光ＳＬの光路上に対向して配置されており、入射する光源光ＳＬの偏光方向を揃えつつ、照明光を形成する。偏光装置４３は、光源１に対向する入射面に、反射ミラー４４ｓ、４４ｔと、変換窓４５ｓ、４５ｔとを備えるとともに、偏光変換光学系として、偏光分離膜４６ｓ、４６ｔと、波長板４７ｓ、４７ｔと、反射膜４８ｓ、４８ｔと、射出窓４９ｓ、４９ｔとを備える。いずれも、第１実施形態おける同名のものと同じ役割を有するので説明を割愛する。
【００６２】
本実施形態における偏光装置４３は、第１実施形態における偏光装置３とこれを左右反転させたものとを貼り合わせることによって形成される。この際、反射ミラー４４ｓと反射ミラー４４ｔとが中央側になるようにする。このように形成された偏光装置４３は、当該貼付箇所を光軸ＬＡ上に設置した状態でパラボラリフレクタ２に対して固定される。
【００６３】
焦点Ｐより、方向αに対し右後方へ発した光源光ＳＬ６と左後方へ発した光源光ＳＬ７とは、パラボラリフレクタ２での反射後、それぞれ反射ミラー４４ｓ、４４ｔに垂直に入射し、戻り光ＳＬ６′、ＳＬ７′として反射される。戻り光ＳＬ６′、ＳＬ７′は、光源光ＳＬのうち左方周辺光又は右方周辺光として射出され、変換窓４５ｓ、４５ｔに垂直に入射する。変換窓４５ｓ、４５ｔに入射した戻り光ＳＬ６′、ＳＬ７′は、偏光分離膜４６ｓ、４６ｔ及び波長板４７ｓ、４７ｔにより第１実施形態と同様にして、全てＳ偏光となり、光路方向は方向αに等しく、偏光装置４３の全射出面に対応する第１及び第２射出領域から照明光ＥＬとして射出される。
【００６４】
また、焦点Ｐから発生する光源光ＳＬのうち、光路が方向αに対して左前方向又は右前方向であるものは、戻り光が形成されることなく、変換窓４５ｓ又は変換窓４５ｔに入射し、偏光変換され、偏光装置４３の全射出面に対応する第１及び第２射出領域から照明光ＥＬとして射出される。
【００６５】
以上により、光源光ＳＬは、Ｓ偏光に揃った照明光ＥＬとして利用される。この際、反射ミラー４４ｓ又は反射ミラー４４ｔによる反射は周辺光に対して一回行われるだけであるので、これによる光量のロスは少なく、光の利用効率が良い。また、光の利用効率を上げるために偏光装置４３を大型化する必要がない。
【００６６】
また、この場合、偏光装置４３は、第１実施形態の偏光装置３よりも薄くすることが可能である。光源及びパラボラリフレクタが同一の場合、偏光装置の厚さは半分となる。
【００６７】
図４（ｂ）は、本実施形態に係る光源装置のうち、第２実施形態で用いた偏光ビームスプリッタを４分割用に応用した場合について説明するための平面図である。本実施形態における光源装置４０ｂは、光源光を発生する光源１と、光源光を反射するパラボラリフレクタ２と、偏光装置４２３とを備える。尚、光源１と、パラボラリフレクタ２については、既述の実施形態と同様のものである。
【００６８】
偏光装置４２３は、第１から第３の実施形態同様、パラボラリフレクタ２に対し、光源光ＳＬの光路上に対向して配置されており、入射する光源光ＳＬの偏光方向を揃えつつ、照明光を形成する。偏光装置４２３は、光源１に対向する入射面に、反射ミラー４２４ｓ、４２４ｔと、変換窓４２５ｓ、４２５ｔとを備えるとともに、偏光変換光学系として、偏光分離膜４２６ｓ、４２６ｔと、波長板４２７ｓ、４２７ｔとを備える。いずれも、第２実施形態おける同名のものと同じ役割を有するので説明を割愛する。
【００６９】
本実施形態における偏光装置４２３は、第２実施形態における偏光装置２３とこれを左右反転させたものとを擬ドーブプリズム２２の短辺側で貼り合わせ、反射ミラー４２４ｓ、４２４ｔを中央側にすることによって形成される。このように形成された偏光装置４２３は、当該貼付箇所を光軸ＬＡ上に設置した状態でパラボラリフレクタ２に固定される。
【００７０】
光源装置４０ａ同様、光源光ＳＬのうち、焦点Ｐから方向αに対して右後方へ射出する光源光ＳＬ６の光路と、左後方へ射出する光源光ＳＬ７の光路とについて辿ることが可能であり、それぞれ反射ミラー４２４ｓ、４２４ｔで反射後、戻り光ＳＬ６′、ＳＬ７′として変換窓４２５ｓ、４２５ｔに屈折して入射する。入射後、偏光分離膜４２６ｓ、４２６ｔ及び波長板４２７ｓ、４２７ｔにより第２実施形態と同様にして、全てＳ偏光となり、光路方向は方向αに等しく、偏光装置４２３の全射出面に対応する第１及び第２射出領域から照明光ＥＬとして射出される。
【００７１】
また、焦点Ｐから発生する光源光ＳＬのうち、光路が方向αに対して左前方向又は右前方向であるものは、戻り光が形成されることなく、変換窓４２５ｓ又は変換窓４２５ｔに入射し、偏光変換され、偏光装置４２３の全射出面に対応する第１及び第２射出領域から照明光ＥＬとして射出される。
【００７２】
以上により、光源光ＳＬは、Ｓ偏光に揃った照明光ＥＬとして利用される。この際、反射ミラー４２４ｓ又は反射ミラー４２４ｔによる反射は周辺光に対して一回行われるだけであるので、これによる光量のロスは少なく、光の利用効率が良い。また、光の利用効率を上げるために偏光装置４２３を大型化する必要がない。
【００７３】
また、この場合、偏光装置４２３は、第２実施形態の偏光装置２３よりも薄くすることが可能である。光源及びパラボラリフレクタが同一の場合、偏光装置の厚さは半分となる。
【００７４】
〔第５実施形態〕
図５は、本実施形態におけるプロジェクタ１００の光学的構造を概念的に説明する平面図である。プロジェクタ１００は、照明光を形成する光源装置１０と、光分割光学系５０と、光変調装置７０と、投影光学系９０とを備える。光源装置１０は、第１実施形態において説明した光学系によりＳ偏光に統一された照明光ＥＬを発生する。光分割光学系５０は、照明光を特定波長ごとに色光分割し、各色光を形成する。光変調装置７０は、各色光によって照明される被照明対象であるとともに、各色の像光を形成し、さらにこれらを合成して合成光を形成する。投影光学系９０は、合成光を投射光として投射する。尚、光源装置１０は、第２、第３、第４実施形態で開示した各光源装置に置き換えることも可能である。
【００７５】
光分割光学系５０は、レンズアレイ５１、５２と、重畳レンズ５３と、ミラー５４、５５、５６、５７と、ダイクロイックミラー５８、５９と、リレーレンズ６０、６１と、フィールドレンズ６２、６３、６４とを備える。
【００７６】
これらのうち、レンズアレイ５１、５２と、重畳レンズ５３とは、光量を光束断面内で均一化する。ミラー５４、５５、５６、５７は、照明光又は照明光より得られる各色の色光を反射する。ダイクロイックミラー５８、５９は、光をその波長帯によって選択的に透過又は反射することによって照明光ＥＬの色分割を行う。フィールドレンズ６２、６３、６４は、照明光ＥＬの色光分割によって得られる各色光の、後述する液晶パネルへの入射角度を調整する。
【００７７】
光変調装置７０は、各色の像光を形成する液晶ライトバルブ８０ｒ、８０ｇ、８０ｂと、形成された各色の像光を合成して合成光を形成するクロスダイクロイックプリズム８１とを備える。液晶ライトバルブ８０ｒ、８０ｇ、８０ｂは、各色の液晶パネル７１ｒ、７１ｇ、７１ｂと、偏光子７２ｒ、７２ｇ、７２ｂと、検光子７３ｒ、７３ｇ、７３ｂとを備える。
【００７８】
各色の液晶パネル７１ｒ、７１ｇ、７１ｂは、照明光から画像を形成する。偏光子７２ｒ、７２ｇ、７２ｂは、光路上液晶パネルの入射側に位置し、各液晶パネル７１ｒ、７１ｇ、７１ｂへの入射光の偏光方向をより狭い範囲に限定して偏光度を高めるための偏光板である。検光子７３ｒ、７３ｇ、７３ｂは、各液晶パネル７１ｒ、７１ｇ、７１ｂを射出した光から特定方向の偏光成分を選択するための偏光板である。
【００７９】
以下、画像形成の手順に従って、プロジェクタ１００の機能を説明する。図５において、光源１や偏光装置３を備える光源装置１０から所定の偏光光である射出された照明光ＥＬは、まず、レンズアレイ５１を透過する。その後、照明光ＥＬは、ミラー５４で反射され、さらに、レンズアレイ５２及び重畳レンズ５３を透過する。ここで、レンズアレイ５１、５２及び重畳レンズ５３は、照明光ＥＬの光量を光束断面内で均一化するはたらきがある。照明光ＥＬに含まれている光は、全てミラー７で反射されることによって方向転換さる。重畳レンズ５３を透過した照明光ＥＬは、第１のダイクロイックミラー５８によって、照明光ＥＬの一部が、赤色光ＲＬとして分割される。さらに、残りの照明光ＥＬは、第２のダイクロイックミラー５９によって緑色光ＧＬと青色光ＢＬとに分割される。より具体的に説明すると、第１のダイクロイックミラー５８は、赤色光波長以下の光を透過し、それ以外の光を反射する特性を持つ。これにより、ある波長帯の光は、赤色光ＲＬとしてダイクロイックミラー５８を透過する一方、他の光は、ダイクロイックミラー５８において反射される。また、第２のダイクロイックミラー５９は、緑色光波長以下の光を反射し、それ以外の光を透過する性質を持つ。これにより、照明光ＥＬのうち、ダイクロイックミラー５９によって反射された光は、さらに、緑色光ＧＬと青色光ＢＬとに分割される。以上のダイクロイックミラー５８、５９の機能により、所定の偏光光である照明光ＥＬは、波長帯ごとに赤色光ＲＬ、緑色光ＧＬ、青色光ＢＬに分割される。
【００８０】
分割された赤色光ＲＬ、緑色光ＧＬ、青色光ＢＬは、偏光子７２ｒ、７２ｇ、７２ｂを介して直線偏光度が高められ、照明光として液晶パネル７１ｒ、７１ｇ、７１ｂに入射する。液晶パネル７１ｒ、７１ｇ、７１ｂにおいては、照明光の２次的処理が行われ、投影画像に対応する画素単位で偏光面の変調が行われる。このような変調光は、検光子７３ｒ、７３ｇ、７３ｂを介して直線偏光に変換され、像光としてクロスダイクロイックプリズム８１に導かれる。この際、各光路における具体的な処理は、以下の通りである。
【００８１】
赤色光ＲＬは、ミラー５５で反射された後、フィールドレンズ６２によって入射角度が調整され、偏光子７２ｒを介して液晶パネル７１ｒに導かれ、液晶パネル７１ｒを照射する。液晶パネル７１ｒによって変調光が形成され、形成された変調光に対応する像光は、検光子７３ｒを介してクロスダイクロイックプリズム８１に入射し、ここで他の像光と結合される。緑色光ＧＬも同様に、ダイクロイックミラー５９で反射された後、フィールドレンズ６３によって入射角度が調整され、偏光子７２ｇを介して液晶パネル７１ｇに導かれ、液晶パネル７１ｇを照射する。液晶パネル７１ｇによって変調光が形成され、形成された変調光に対応する像光は、検光子７３ｇを介してクロスダイクロイックプリズム８１で他の像光と結合される。青色光ＢＬは、ダイクロイックミラー５９を透過し、ミラー５６及び５７で反射された後、フィールドレンズ６４によって入射角度が調整され、偏光子７２ｂを介して液晶パネル７１ｂに導かれ、液晶パネル７１ｂを照射する。液晶パネル７１ｂによって変調光が形成され、形成された変調光に対応する像光は、検光子７３ｂを介してクロスダイクロイックプリズム８１で他の像光と結合される。この場合、青色光ＢＬの光路は、他の光の光路より長くなっている。よってビーム形状の補正が必要となり、かかる補正のためにリレーレンズ６０、６１等が青色光の光路中に設けられている。
【００８２】
クロスダイクロイックプリズム８１で合成された各液晶パネル７１ｒ、７１ｇ、７１ｂからの像光は、投影レンズ９０によってスクリーン等に投影され、当該スクリーン上に所望の拡大率のカラー合成画像が表示される。
【００８３】
本実施形態において、光源装置として、光源装置１０、２０、３０ａ、３０ｂ、４０ａ、４０ｂを用いることにより、光の利用効率の高いプロジェクタが実現される。
【図面の簡単な説明】
【００８４】
【図１】第１実施形態に係る光源装置を説明するための平面図である。
【図２】第２実施形態に係る光源装置を説明するための平面図である。
【図３】（ａ）、（ｂ）は、第３実施形態に係る光源装置を説明するための平面図である。
【図４】（ａ）、（ｂ）は、第４実施形態に係る光源装置を説明するための平面図である。
【図５】本発明に係る光源装置を用いたプロジェクタを示す平面図である。
【符号の説明】
【００８５】
１…光源、  ２…パラボラリフレクタ、  ３、２３、３３、４３、３２３、４２３…偏光装置、  ４…反射ミラー、  ５…変換窓、  ６…偏光ビームスプリッタ、  ７…波長板、  ８…反射膜、２１…ドーブプリズム、  １０、２０、３０ａ、３０ｂ、４０ａ、４０ｂ…光源装置、  ＬＡ…光軸、  Ｐ…焦点、  ＳＬ…光源光、  ＥＬ…照明光、  ＲＬ…赤色光、  ＧＬ…緑色光、  ＢＬ…青色光、  １００…プロジェクタ、  ５０…光分割光学系、  ７０…光変調装置、  ９０…投影光学系
【図１】
2006064813.tif 000003
【図２】
2006064813.tif 000004
【図３】
2006064813.tif 000005
【図４】
2006064813.tif 000006
【図５】
2006064813.tif 000007